(57)【要約】【課題】現場での階間水切り板の取付け作業を容易に行っていくことができる階間水切り板の取付け構造を提供する。【解決手段】階下の外壁パネル２の上端部に下地板４が備えられ、該下地板４の屋外側の面部に下部差し込み金物５が取り付けられ、階間水切り板３は、その下端部が、下地板４と下部差し込み金物５との間に差し込まれて取り付けられている。また、階間水切り板３の上端部の背面側にバネ部６が設けられ、該バネ部６は、下部差し込み金物５に下端部を差し込んだ階間水切り板３を屋外側から屋内側に押し込むことにより、鋼製胴差１の上フランジ１ａの下面側に下方に弾性変形をして嵌め込まれるようになされていて、階間水切り板３は、その上端側が、前記バネ部の上向き弾性復元力によって、鋼製胴差１に保持されて取り付けられている。【選択図】      図１
2009293228.tif 000002
【特許請求の範囲】
【請求項１】
階下の外壁パネルの上端部に取付け用の下地板が備えられると共に、該下地板の屋外側の面部に下部差し込み金物が取り付けられ、階間水切り板は、その下端部が、下地板と下部差し込み金物との間に差し込まれて取り付けられていると共に、
階間水切り板の上端部の背面側にバネ部が設けられ、該バネ部は、下部差し込み金物に下端部を差し込んだ階間水切り板を屋外側から屋内側に押し込むことにより、鋼製胴差の上フランジの下面側に下方に弾性変形をして嵌め込まれるようになされていて、階間水切り板は、その上端側が、前記バネ部の上向き弾性復元力によって、鋼製胴差に保持されて取り付けられていることを特徴とする階間水切り板の取付け構造。
【請求項２】
前記階間水切り板の上端部が、バネ部の押し込み深さを規制するストッパーを兼ね、鋼製胴差の上フランジの屋外側の端部に当接するようになされている請求項１に記載の階間水切り板の取付け構造。
【請求項３】
前記下地板が左右方向に延びる長物からなると共に、階間水切り板の下端部の背面に止水材が設けられ、階間水切り板の下端部が、下地板と差し込み金物との間に差し込まれることにより、前記止水材が、下地板と差し込み金物とに挟み込まれて、階間水切り板の下端部と下地板との間が止水されている請求項１又は２に記載の階間水切り板の取付け構造。
【請求項４】
左右方向に隣り合う階間水切り板のうちの一方の階間水切り板の屋外側の面部においてその側部に側部差し込み金物が取り付けられ、もう一方の階間水切り板は、その側部が、前記側部差し込み金物と前記一方の階間水切り板との間に差し込まれて前記一方の階間水切り板に連結されている請求項１乃至３のいずれか一に記載の階間水切り板の取付け構造。
【請求項５】
左右方向のおける前記もう一方の階間水切り板の側部の背面に止水材が設けられ、該もう一方の階間水切り板の側部が、側部差し込み金物と前記一方の階間水切り板との間に差し込まれることにより、前記止水材が、側部差し込み金物と前記一方の階間水切り板とに挟み込まれて、左右の階間水切り板間が止水されている請求項４に記載の階間水切り板の取付け構造。
【発明の詳細な説明】
【技術分野】
【０００１】
本発明は、階間水切り板の取付け構造に関する。
【背景技術】
【０００２】
階間胴差部への階間水切り板の取付け構造として、従来より、種々のものが提供されているが、それらは、取付けの現場において、ビス打ち作業を必要としたり、工具を必要としたりして、取付け作業に手間を要するという問題があった。また、取付けのための現場でのビス打ち作業を減らす、ないしは、なくす目的で、階間水切り板に突っ張り機構を備えさせたものも提供されているが、突っ張り機構を突っ張り状態にする作業に手間を要するという問題があった。
【特許文献１】特開２００４−１２４４３９号公報
【特許文献２】特開２００３−２５３７７１号公報
【特許文献３】特開２００３−００３５８０号公報
【発明の開示】
【発明が解決しようとする課題】
【０００３】
本発明は、上記のような問題点に鑑み、現場での階間水切り板の取付け作業を容易に行っていくことができる階間水切り板の取付け構造を提供することを課題とする。
【課題を解決するための手段】
【０００４】
上記の課題は、階下の外壁パネルの上端部に取付け用の下地板が備えられると共に、該下地板の屋外側の面部に下部差し込み金物が取り付けられ、階間水切り板は、その下端部が、下地板と下部差し込み金物との間に差し込まれて取り付けられていると共に、
階間水切り板の上端部の背面側にバネ部が設けられ、該バネ部は、下部差し込み金物に下端部を差し込んだ階間水切り板を屋外側から屋内側に押し込むことにより、鋼製胴差の上フランジの下面側に下方に弾性変形をして嵌め込まれるようになされていて、階間水切り板は、その上端側が、前記バネ部の上向き弾性復元力によって、鋼製胴差に保持されて取り付けられていることを特徴とする階間水切り板の取付け構造によって解決される（第１発明）。
【０００５】
この取付け構造では、下地板と下部差し込み金物は、予め、外壁パネルに取り付けておくことができると共に、バネ部も、予め、階間水切り板に取り付けておくことができ、そのため、現場では、階間水切り板の下端部を、下地板と下部差し込み金物との間に差し込み、そして、階間水切り板を屋外側から屋内側に押し込んでバネ部を鋼製胴差の上フランジの下面側に嵌め込めば、取付けを完了することができて、現場での階間水切り板の取付け作業を容易に行っていくことができる。
【０００６】
第１発明において、前記階間水切り板の上端部が、バネ部の押し込み深さを規制するストッパーを兼ね、鋼製胴差の上フランジの屋外側の端部に当接するようになされているとよい（第２発明）。この場合は、階間水切り板の上端部が、鋼製胴差の上フランジの屋外側の端部に当接するまで、階間水切り板を押し込めばよく、押し込み作業を容易にすることができる。
【０００７】
第１，第２発明において、前記下地板が左右方向に延びる長物からなると共に、階間水切り板の下端部の背面に止水材が設けられ、階間水切り板の下端部が、下地板と差し込み金物との間に差し込まれることにより、前記止水材が、下地板と差し込み金物とに挟み込まれて、階間水切り板の下端部と下地板との間が止水されているとよい（第３発明）。この場合は、階間水切り板の下端部と下地板との間を、階間水切り板の下端部を下地板と差し込み金物との間に差し込むだけで止水状態にすることができ、その部分の止水を現場で容易に行っていくことができる。
【０００８】
第１〜第３発明において、左右方向に隣り合う階間水切り板のうちの一方の階間水切り板の屋外側の面部においてその側部に側部差し込み金物が取り付けられ、もう一方の階間水切り板は、その側部が、前記側部差し込み金物と前記一方の階間水切り板との間に差し込まれて前記一方の階間水切り板に連結されているとよい（第４発明）。
【０００９】
この場合は、側部差し込み金物は、予め、階間水切り板に取り付けておくことができ、そのため、現場では、例えば、前記一方の階間水切り板の取付けを行った後、前記もう一方の階間水切り板の側部を、側部差し込み金物と前記一方の階間水切り板との間に差し込めは、連結を完了することができて、現場での左右方向に隣り合う階間水切り板の連結作業を容易に行っていくことができる。
【００１０】
第４発明において、左右方向のおける前記もう一方の階間水切り板の側部の背面に止水材が設けられ、該もう一方の階間水切り板の側部が、側部差し込み金物と前記一方の階間水切り板との間に差し込まれることにより、前記止水材が、側部差し込み金物と前記一方の階間水切り板とに挟み込まれて、左右の階間水切り板間が止水されているとよい（第５発明）。この場合は、左右の階間水切り板間を、前記もう一方の階間水切り板の側部を、側部差し込み金物と前記一方の階間水切り板との間に差し込むだけで止水状態にすることができ、その部分の止水を現場で容易に行っていくことができる。
【発明の効果】
【００１１】
本発明は、以上のとおりのものであるから、現場での階間水切り板の取付け作業を容易に行っていくことができる。
【発明を実施するための最良の形態】
【００１２】
次に、本発明の実施最良形態を図面に基づいて説明する。
【００１３】
図１〜図５に示す実施形態において、１は鋼製胴差、２は階下の外壁パネル、３は階間水切り板である。鋼製胴差１は、上下のフランジとそれらフランジをつなぐウェブとを備えたＨ形鋼からなっていて、１ａが上フランジである。
【００１４】
階下の外壁パネル２は、図１（イ）及び図２（ハ）に示すように、その上端部に、鋼板等からなる取付け用下地板４を備え、該下地板４は、左右方向の延ばされた長物からなっており、その屋外側の面部に、ピース物からなる複数の下部差し込み金物５…が左右方向に間隔をおいて取り付けられ、階間水切り板３の下端部を、下地板４と下部差し込み金物５との間にその上方から差し込んで取り付けることができるようになされている。
【００１５】
下地板４は、図３（ハ）〜（ホ）に示すように、その下端側が、外壁パネル２における外壁面材２ａとその背面側の発泡板２ｂとの間に挟み込まれて外壁パネル２に予め一体的に備えられており、また、下部差し込み金物５も、そのような下地板４の屋外側の面部に、予め、ビス等で取り付けられて外壁パネル２に備えられており、外壁パネル２の建方は、図３（イ）（ロ）に示すように、これら下地板４と下部差し込み金物５とが備えられた外壁パネル２を用いて行われる。
【００１６】
階間水切り板３は、図２（イ）（ロ）に示すように、その上端部の背面側にバネ鋼などによるピース物のバネ部６が左右方向に間隔をおくようにして連接されたものからなっていて、該バネ部６は、図１（ロ）（ハ）に示すように、下部差し込み金物５に下端部を差し込んだ階間水切り板３を屋外側から屋内側に押し込むことにより、鋼製胴差１の上フランジ１ａの下面側に下方に弾性変形をして嵌め込まれるようになされている。
【００１７】
なお、階間水切り板３の背面側には、各バネ部６の位置に対応して、補強用の縦フレーム７が一体的に取り付けられ、バネ部６が上記のように嵌め込まれて弾性復元力を保有し、該補強フレーム７の下端部が階下の外壁パネル２の上端部に当接することで、補強フレーム７が、階下の外壁パネル２と鋼製胴差１の上フランジ１ａとの間で突っ張り状態となるようにされている。
【００１８】
また、階間水切り板３の上端部３ａは、バネ部６の押し込み深さを規制するストッパーを兼ねるようになされていて、上記の押し込み過程において、バネ部６が適正な嵌め込み深さに達すると、階間水切り板３の上端部３ａが鋼製胴差１の上フランジ１ａの屋外側の端部に当接するようになされている。
【００１９】
また、図４及び図５に示すように、左右方向に隣り合う階間水切り板３，３同士の連結は、左右一方の階間水切り板３の屋外側の面部において、その側部の高さ方向中間部に予め取り付けられた側部差し込み金物８を利用し、もう一方の階間水切り板３の側部を、該側部差し込み金物８と前記一方の階間水切り板３との間に差し込むことで行うことができるようになされている。
【００２０】
そして、各階間水切り板３には、その背面側において、下端部と、側部差し込み金物８が取り付けられていない側の側部とにエプトシーラー（商品名）等の止水材９，１０が取り付けられている。
【００２１】
階間水切り板３の取付けは、図１（イ）（ロ）及び図４（イ）（ロ）に示すように、外壁パネル２の建方を終えた後、階間水切り板３の下端部を、階下の外壁パネル２の下地板４と下部差し込み金物５…との間にその上方から差し込んだ状態にする。これにより同時に、下部止水材９が、下地板４と下部差し込み金物５とに挟み込まれて、階間水切り板３の下端部と下地板４との間が止水される。
【００２２】
次いで、図４（ロ）及び図５に示すように、左右方向に隣り合わせて連結する階間水切り板３の下端部を、同様にして、階下の外壁パネル２の下地板４と下部差し込み金物５…との間にその上方から差し込んだ状態にした後、該階間水切り板３を、先行して下端部を差し込み状態にした階間水切り板３の側にスライドさせ、その側部を先行差し込み階間水切り板３と側部差し込み金物８との間に差し込み、隣り合う階間水切り板３，３同士を連結する。これにより同時に、側部止水材１０が、側部差し込み金物８と階間水切り板３とに挟み込まれて、左右の階間水切り板３，３間が止水される。
【００２３】
しかる後、図１（ハ）に示すように、階間水切り板３を屋外側から屋内側に、その上端部が鋼製胴差１の上フランジ１ａの屋外側の端部に当接するところまで、押し込んでいけば、バネ部６は鋼製胴差１の上フランジ１ａの下面側に下方に弾性変形をして嵌め込まれた状態になり、階間水切り板３は、その上端部が、バネ部６の上向き弾性復元力によって、鋼製胴差１に保持された状態となって、階間水切り板３の取付けが完了する。
【００２４】
このように、上記の取付け構造によれば、現場では、階間水切り板３の下端部を、下地板４と下部差し込み金物５との間に差し込み、次の階間水切り板も同様に差し込んで、側方にスライドさせ、その側部を、側部差し込み金物８と階間水切り板３との間に差し込んで連結し、そして、階間水切り板３を、その上端部が鋼製胴差１の上フランジ１ａに当接するところまで、屋外側から屋内側に押し込んで、階間水切り板３のバネ部６を鋼製胴差１の上フランジ１ａの下面側に嵌め込めば、取付けを完了することができて、現場での階間水切り板３…の取付け作業を容易に行っていくことができる。
【００２５】
また、階間水切り板３の下端部と下地板４との間は、階間水切り板３の下端部を下地板４と下部差し込み金物５との間に差し込むだけで下部止水材９によって止水状態となり、その部分の止水を現場で容易に行っていくことができるし、左右の階間水切り板３，３間も、階間水切り板の側部を、側部差し込み金物と階間水切り板との間に差し込むだけで側部止水材１０によって止水状態となり、その部分の止水も現場で容易に行っていくことができる。
【００２６】
以上に、本発明の実施形態を示したが、本発明はこれに限られるものではなく、発明思想を逸脱しない範囲で各種の変更が可能である。例えば、上記の実施形態では、鋼製胴差が、Ｈ形鋼からなっている場合を示したが、上下のフランジをウェブでつないだ溝形鋼などであってもよい。
【図面の簡単な説明】
【００２７】
【図１】実施形態を示すもので、図（イ）〜図（ハ）は取付けの工程を順次に示す断面側面図である。
【図２】図（イ）は階間水切り板の側面図、図（ロ）は同正面図、図（ハ）は外壁パネルの上部側の正面図である。
【図３】図（イ）及び図（ロ）は外壁パネルの建方を示す断面側面図、図（ハ）〜図（ホ）は外壁パネルの製作方法を順次に示す断面側面図である。
【図４】図（イ）及び図（ロ）は左右方向において隣り合う階間水切り板の連結方法を順次に示す正面図である。
【図５】図（イ）は図２（ロ）のＩ−Ｉ線断面矢視図、図（ロ）及び図（ハ）は左右方向において隣り合う階間水切り板の連結方法を順次に示す断面平面図、図（ニ）は左右の階間水切り板の連結状態を示す正面図である。
【符号の説明】
【００２８】
１…鋼製胴差
１ａ…上フランジ
２…階下の外壁パネル
３ａ…上端部（ストッパー）
４…下地板
５…下部差し込み金物
６…バネ部
８…側部差し込み金物
９…下部止水材
１０…側部止水材
【図１】
2009293228.tif 000003
【図２】
2009293228.tif 000004
【図３】
2009293228.tif 000005
【図４】
2009293228.tif 000006
【図５】
2009293228.tif 000007